(57)【要約】      （修正有）【課題】筐体によってシャフト部が覆われた状態でも、ネジ部の回転動作に起因してシャフト部が動かないようにすることができる携帯電子機器を提供する。【解決手段】筐体と、スライドスイッチ６と、を備え、スライドスイッチ６は、取っ手部６ａと、筐体内部に配置されるシャフト部６ｂと、取っ手部６ａとシャフト部６ｂとを筐体外部から締結するネジ部６ｃと、を備える。筐体は、ネジ部６ｃにより取っ手部６ａとシャフト部６ｂとを締結するときに、ネジ部６ｃの回転動作に連動してシャフト部６ｂを動かないように規制する治具が挿抜可能に通される孔部を備える。【選択図】図３
2014121011.tif 000002
【特許請求の範囲】
【請求項１】
筐体と、
スライドスイッチと、を備え、
前記スライドスイッチは、取っ手部と、前記筐体内部に配置されるシャフト部と、前記取っ手部と前記シャフト部とを前記筐体外部から締結するネジ部と、を備え、
前記筐体は、前記ネジ部により前記取っ手部と前記シャフト部とを締結するときに、前記ネジ部の回転動作に連動してシャフト部を動かないように規制する治具が挿抜可能に通される孔部を備える携帯電子機器。
【請求項２】
前記シャフト部は、前記治具が当接することによって、当該シャフト部の動きを規制する規制部を有する請求項１記載の携帯電子機器。
【請求項３】
前記規制部は、前記シャフト部のネジ穴が形成されていない端部であって、当該ネジ穴の中心軸からずれた部分に配置される請求項２記載の携帯電子機器。
【請求項４】
前記筐体は、前記治具が前記孔部から挿通されて、前記治具の先端が前記規制部に当接したときに、前記治具の先端部が当接することによって、当該治具がずれないようにするずれ防止部を当該筐体内部に有する請求項２記載の携帯電子機器。
【請求項５】
前記孔部は、挿通された前記治具のずれを規制する請求項１記載の携帯電子機器。
【請求項６】
前記孔部と前記ずれ防止部とは、前記筐体の平面に対して、前記治具が平行にならないように形成されており、
前記規制部は、前記孔部から前記治具が挿通されたときに、当該治具の先端が前記ずれ防止部に到達するようにガイド溝が形成されている請求項４記載の携帯電子機器。
【請求項７】
前記筐体は、開口部と、防水用パッキンを備える蓋部と、を備え、
前記蓋部が前記開口部に装着されることにより、前記防水用パッキンと前記開口部とが密着して防水性を発揮し、
前記孔部は、前記蓋部によって塞がれる前記開口部の内側壁部に形成される請求項１記載の携帯電子機器。
【発明の詳細な説明】
【技術分野】
【０００１】
本発明は、スライドスイッチを有する携帯電子機器に関する。
【背景技術】
【０００２】
電子機器には、引っ張ったり押したりされるスライドスイッチを備えるものがある（例えば、特許文献１）。スライドスイッチは、筐体外部に露出する取っ手部と、筐体内部にて保持されるシャフト部と、取っ手部とシャフト部とを接合し、ネジ頭が筐体外部から締められるネジ部と、を備える。
【０００３】
筐体にこのスライドスイッチが取り付けられる場合、筐体内部にシャフト部が配された後に、筐体外部からネジ部がしめられることにより、取っ手部とシャフト部とが接合される。
【先行技術文献】
【特許文献】
【０００４】
【特許文献１】特開２０１２−１６４２７０号公報
【発明の概要】
【発明が解決しようとする課題】
【０００５】
ところで、取っ手部とシャフト部とがネジ部によって接合される場合、ネジ部の回転動作に起因してシャフト部が動いてしまうのを防ぐために、シャフト部を固定しなければならない。
しかしながら、筐体によってシャフト部が覆われた状態で当該シャフト部を固定することは難しかった。
【０００６】
本発明は、筐体によってシャフト部が覆われた状態でも、ネジ部の回転動作に起因してシャフト部が動かないようにすることができる携帯電子機器を提供することを目的とする。
【課題を解決するための手段】
【０００７】
本発明に係る携帯電子機器は、上記課題を解決するために、筐体と、スライドスイッチと、を備え、前記スライドスイッチは、取っ手部と、前記筐体内部に配置されるシャフト部と、前記取っ手部と前記シャフト部とを前記筐体外部から締結するネジ部と、を備え、前記筐体は、前記ネジ部により前記取っ手部と前記シャフト部とを締結するときに、前記ネジ部の回転動作に連動してシャフト部を動かないように規制する治具が挿抜可能に通される孔部を備える構成である。
【０００８】
携帯電子機器では、前記シャフト部は、前記治具が当接することによって、当該シャフト部の動きを規制する規制部を有する構成でもよい。
【０００９】
携帯電子機器では、前記規制部は、前記シャフト部のネジ穴が形成されていない端部であって、当該ネジ穴の中心軸からずれた部分に配置される構成でもよい。
【００１０】
携帯電子機器では、前記筐体は、前記治具が前記孔部から挿通されて、前記治具の先端が前記規制部に当接したときに、前記治具の先端部が当接することによって、当該治具がずれないようにするずれ防止部を当該筐体内部に有する構成でもよい。
【００１１】
携帯電子機器では、前記孔部は、挿通された前記治具のずれを規制する構成でもよい。
【００１２】
携帯電子機器では、前記孔部と前記ずれ防止部とは、前記筐体の平面に対して、前記治具が平行にならないように形成されており、前記規制部は、前記孔部から前記治具が挿通されたときに、当該治具の先端が前記ずれ防止部に到達するようにガイド溝が形成されている構成でもよい。
【００１３】
携帯電子機器では、前記筐体は、開口部と、防水用パッキンを備える蓋部と、を備え、前記蓋部が前記開口部に装着されることにより、前記防水用パッキンと前記開口部とが密着して防水性を発揮し、前記孔部は、前記蓋部によって塞がれる前記開口部の内側壁部に形成される構成でもよい。
【発明の効果】
【００１４】
本発明によれば、筐体によってシャフト部が覆われた状態でも、ネジ部の回転動作に起因してシャフト部が動かないようにすることができる。
【図面の簡単な説明】
【００１５】
【図１】携帯電話機のフロントケースの外観を示す図である。
【図２】携帯電話機のリアケースの外観を示す図である。
【図３】スライドスイッチの構成と、スライドスイッチが取り付けられる取付部の外観を示す図である。
【図４】スライドスイッチが取付部に取り付けられた状態において、Ａ−Ａ面で切断したときの断面を示す図である。
【図５】リアケースの内部構造を示す図である。
【図６】シャフト部の外観を示す図である。
【図７】リアケースの内部構造を示す図である。
【図８】シャフト部と治具と孔部とずれ防止部の配置関係についての説明に供する図である。
【図９】携帯電話機のリアケースの外観を示す図である。
【発明を実施するための形態】
【００１６】
以下、本発明を実施するための好ましい実施形態について、図面を参照しながら説明する。まず、本発明の携帯電子機器の一実施形態に係る携帯電話機１の基本構造について、図１を参照しながら説明する。図１は、携帯電話機１の外観斜視図である。
【００１７】
携帯電話機１は、ストレートタイプの携帯電話機１である。携帯電話機１は、筐体２と、筐体２に対して一定方向に所定量だけ滑動するように取り付けられたスライドスイッチ３と、スライドスイッチ３に連結されたストラップ４により構成されている。携帯電話機１は、通話機能に加えて防犯ブザー機能を有している。防犯ブザー機能とは、ユーザが危険を察知した場合に携帯電話機１に所定の操作を施すことで大音量を発生させて、周囲にいる人に注意を促す機能である。具体的には、携帯電話機１は、ストラップ４が所定以上の力で引っ張られると、スライドスイッチ３が一定方向に所定量だけ滑動し、この滑動をトリガーとして、大音量でブザーが周囲に鳴り響くことにより、周囲にいる人に注意を促す。なお、この場合には、内部に備えられている制御部は、ストラップ４が所定以上の力で引っ張られたことにより防犯ブザーが鳴っている旨の通知を受け、提携している警備会社等にメール等の機能を利用して緊急通知を行う構成でもよい。
【００１８】
また、筐体２は、フロントケース２ａとリアケース２ｂとがボンド等により接着されて構成される。フロントケース２ａには、操作部１１と、表示部２１と、スピーカ２２とが配置されている。操作部１１は、互いに異なる方向を指定する複数の方向指定キー１１ａ（方向指定手段）と、所定の機能を作動させるための機能作動キー１１ｂと、終話キー１１ｃを備える。ここで、複数の方向指定キー１１ａは、図１に示すように物理的に１つのキーの場合でも、上方向、右方向、下方向及び左方向にそれぞれ異なる機能が割り当てられていれば、複数の方向指定キーとする。本実施例においては、方向指定キー１１ａは、上方向を指定する上キー１１１と、下方向を指定する下キー１１２と、右方向を指定する右キー１１３と、左方向を指定する左キー１１４により構成される。なお、方向指定キー１１ａは、複数の方向に指定可能なものであればよく、ジョイスティックやトラックボール、その他ポインティングデバイスであってもよい。
【００１９】
表示部２１は、液晶表示ディスプレイや有機ＥＬ（エレクトロルミネッセンス）ディスプレイ等から構成される。スピーカ２２は、携帯電話機１の使用時に通話の相手方の音声が出力する。
【００２０】
筐体２のリアケース２ｂは、図２（ａ）に示すように、充電池を覆う蓋部５と、スライドスイッチ６を有する。
また、リアケース２ｂは、蓋部５と充電池（不図示）を外すと、図２（ｂ）に示すように、充電池を収納するための開口部２ｃが現れる。
【００２１】
ここで、筐体２の内部構造について図３を用いて説明する。
スライドスイッチ６は、図３（ａ）に示すように、取っ手部６ａと、金属製のシャフト部６ｂと、ネジ部６ｃにより構成されている。
【００２２】
具体的には、リアケース２ｂの表面には、取っ手部６ａが取り付けられる取付部７が形成されている。取付部７の左右壁面には、取り付けられた取っ手部６ａが滑動する滑動機構７ａが形成されている。また、取付部７の奥壁面には、内部に向かって貫通孔７ｂが形成されている。
【００２３】
取っ手部６ａには、ネジ部６ｃが挿通される挿通孔が形成されている。
シャフト部６ｂには、ネジ部６ｃが取り付けられるネジ穴（螺旋状の溝（めねじ））が形成されている。
【００２４】
スライドスイッチ６の取付方法は、以下の通りである。
貫通孔７ｂにシャフト部６ｂを筐体内側から取り付け、取付部７に取っ手部６ａを取り付ける。その後、取っ手部６ａ側の挿通孔からネジ部６ｃを挿通し、シャフト部６ｂのネジ穴にネジ部６ｃを締結する。
【００２５】
ここで、スライドスイッチ６を良好に摺動させるために、スライドスイッチ６とリアケース２ｂとの間のクリアランスは、一定にする必要がある（図４を参照）。
図４では、スライドスイッチ６の取っ手部６ａとリアケース２ｂの一部をＡ−Ａ面で切断した部分を示している。具体的には、スライドスイッチ６とリアケース２ｂとの間のクリアランスとは、取っ手部６ａとリアケース２ｂとの間の隙間（図４中の破線Ｘ）のことである。
【００２６】
従来は、このクリアランスを一定に保つために、筐体２が組み立てられる前の状態において、シャフト部６ｂを治具で固定しながら、リアケース２ｂにスライドスイッチ６の取り付けを行っていた。
【００２７】
ところで、密閉状態、すなわち、筐体２の内部にシャフト部６ｂが配された後に、筐体２を組み立てた状態において、スライドスイッチ６を取り付けたいというニーズがあった。
しかし、筐体２の外部からシャフト部６ｂを固定することが困難であったため、筐体２が組み立てられた状態において、ネジ部６ｃにより取っ手部６ａとシャフト部６ｂと締結しようとすると、ネジ部６ｃの回転動作に連動してシャフト部６ｂが動いてしまい、スライドスイッチ６とリアケース２ｂとの間のクリアランスが一定にならない問題があった。また、スライドスイッチ６がリアケース２ｂに対して極端に傾いてしまうという問題があった。
【００２８】
本実施形態に係る携帯電話機１は、組み立てた状態において、ネジ部６ｃにより取っ手部６ａとシャフト部６ｂを締結しても、スライドスイッチ６とリアケース２ｂとの間のクリアランスを一定に保つことができる構成、すなわち、スライドスイッチ６がリアケース２ｂに対して極端に傾かない構成を有する。以下に、具体的な構成について説明する。
【００２９】
携帯電話機１は、上述したように、筐体２と、筐体２にスライド可能に取り付けられるスライドスイッチ６と、を備える。スライドスイッチ６は、取っ手部６ａと、筐体２内部に配置されるシャフト部６ｂと、取っ手部６ａとシャフト部６ｂとを筐体２外部から締結するネジ部６ｃと、を備える（図３（ａ）を参照）。
【００３０】
リアケース２ｂは、図５に示すように、ネジ部６ｃにより取っ手部６ａとシャフト部６ｂとを締結するときに、ネジ部６ｃの回転動作に連動してシャフト部６ｂを動かないように規制する治具が挿抜可能に通される孔部８を備える。
図５（ａ）は、蓋部５と充電池を外した状態であって、リアケース２ｂの外側から見たときの斜視図である。図５（ｂ）は、リアケース２ｂの内側から見たときの斜視図である。
【００３１】
このような構成によれば、携帯電話機１は、孔部８から挿入した治具によってシャフト部６ｂを動かないように規制することができるので、組み立てた状態において、ネジ部６ｃにより取っ手部６ａとシャフト部６ｂを締結しても、スライドスイッチ６がリアケース２ｂに対して極端に傾いてしまうことがない。なお、組み立てた状態とは、フロントケース２ａとリアケース２ｂとを組み合わせて、筐体２内に回路基板等を組み込んだ状態であって、充電池と蓋部５は取り外されている状態をいう。
【００３２】
シャフト部６ｂは、図６に示すように、動きを規制する規制部６ｄを有する構成でもよい。規制部６ｄは、治具Ｚが当接することによって、当該シャフト部６ｂの動きを規制する。なお、本実施例では、規制部６ｄは、Ｕ字溝形状をなしているものとして説明するが、これに限らず、治具Ｚが通る円形形状をなしていてもよい。
【００３３】
また、規制部６ｄは、シャフト部６ｂのネジ穴６ｅが形成されていない端部であって、当該ネジ穴の中心軸（図６に示す破線Ｙ）からずれた部分に配置される構成でもよい。
【００３４】
このような構成によれば、携帯電話機１は、孔部８から治具Ｚを挿入してシャフト部６ｂが動かないように規制することができるので、組み立てた状態において、治具Ｚによってシャフト部６ｂを固定しながら、ネジ部６ｃにより取っ手部６ａとシャフト部６ｂを締結することにより、スライドスイッチ６がリアケース２ｂに対して極端に傾かないようにすることができる。
【００３５】
リアケース２ｂは、図７に示すように、治具Ｚが孔部８から挿通されて、治具Ｚの先端が規制部６ｄに当接したときに、治具の先端部が当接してずれないように規制するずれ防止部９を内側の内面に有する。
図７（ａ）は、貫通孔７ｂにシャフト部６ｂが取り付けられていない様子を示している。図７（ｂ）は、貫通孔７ｂにシャフト部６ｂが取り付けられている様子を示している。
【００３６】
よって、孔部８から挿入された治具Ｚは、規制部６ｄを通過し、先端部がずれ防止部９に当接する。
このような構成によれば、携帯電話機１は、孔部８から挿入された治具Ｚが規制部６ｄを通過してずれ防止部９で固定されるので、シャフト部６ｂが動かないように規制でき、組み立てた状態において、治具Ｚによってシャフト部６ｂを固定しながら、ネジ部６ｃにより取っ手部６ａとシャフト部６ｂを締結することにより、スライドスイッチ６がリアケース２ｂに対して極端に傾かないようにすることができる。
【００３７】
孔部８は、挿通された治具Ｚのずれを防止する。
よって、携帯電話機１は、孔部８により治具Ｚの横ずれが規制されるので、横ずれを起こさずに孔部８から治具Ｚを挿入することができ、組み立てた状態において、治具Ｚによってシャフト部６ｂを固定しながら、ネジ部６ｃにより取っ手部６ａとシャフト部６ｂを締結することができる。
【００３８】
孔部８とずれ防止部９とは、図８に示すように、挿通（当接）される治具Ｚが、リアケース２ｂの平面に対して平行にならないように形成される構成でもよい。規制部６ｄは、孔部８から治具Ｚが挿通されたときに、治具Ｚの先端がずれ防止部９に到達するように斜めにガイド溝（図８中に示すＧ）が形成されている。
【００３９】
このような構成によれば、携帯電話機１は、孔部８により挿入された治具Ｚをシャフト部６ｂの規制部６ｄに形成されているガイド溝Ｇによってずれ防止部９まで導くので、組み立てた状態において、治具Ｚによってシャフト部６ｂを固定しながら、ネジ部６ｃにより取っ手部６ａとシャフト部６ｂを締結することができる。
【００４０】
リアケース２ｂは、図９に示すように、開口部２ｃと、防水用パッキンが貼付されている蓋部５と、を備える。蓋部５が開口部２ｃに装着されることにより、防水用パッキンと開口部２ｃが密着して防水性を発揮する。
孔部８は、蓋部５によって塞がれる開口部２ｃの内側壁部に形成される。
【００４１】
このような構成によれば、携帯電話機１は、組み立てた状態において、開口部２ｃに形成されている孔部８に治具Ｚを挿入してシャフト部６ｂを固定しながら、ネジ部６ｃにより取っ手部６ａとシャフト部６ｂを締結することができる。
【００４２】
また、携帯電話機１は、以下に示す効果を奏する。
携帯電話機１は、組み立てた状態において、治具Ｚによってシャフト部６ｂを固定しながら、ネジ部６ｃにより取っ手部６ａとシャフト部６ｂを締結するので、複数の携帯電話機１のそれぞれにおいて、スライドスイッチ６の操作荷重が同じになるようにすることができるというメリットがある。
【００４３】
携帯電話機１は、スライドスイッチ６を取り付けた後に、何らかの事情により、スライドスイッチ６を取り外し、再度、取り付けるようなリワークを、筐体２の解体をせずに行えるので、リワーク時の作業性を向上することができ、リワーク時に必要な工数も従来に比べて削減することができる。
【００４４】
また、リワークにより、携帯電話機１の解体と組み立てを繰り返すと、フロントケース２ａとリアケース２ｂの接触面に隙間が生じ、防水性が低下するおそれがある。本実施形態に係る携帯電話機１は、解体をせずにスライドスイッチ６の取り外しと取り付けを行えるので、防水性を低下させることがないメリットがある。
【００４５】
なお、携帯電話機１は、上述したストレートタイプに限定されることはない。すなわち、携帯電話機は、操作部側筐体と表示部側筐体とを重ね合わせた状態から一方の筐体を一方向にスライドさせるようにしたスライド式や、重ね合せ方向に沿う軸線を中心に一方の筐体を回転させるようにした回転式や、操作部側筐体と表示部側筐体とを２軸ヒンジを介して連結したもの、さらには、操作部側筐体と表示部側筐体とをヒンジ機構で結合させた折り畳み式であってもよい。
【符号の説明】
【００４６】
１  携帯電話機
２  筐体
２ａ  フロントケース
２ｂ  リアケース
２ｃ  開口部
５  蓋部
６  スライドスイッチ
６ａ  取っ手部
６ｂ  シャフト部
６ｃ  ネジ部
６ｄ  規制部
６ｅ  ネジ穴
７  取付部
７ａ  滑動機構
７ｂ  貫通孔
８  孔部
９  ずれ防止部
【図１】
2014121011.tif 000003
【図２】
2014121011.tif 000004
【図３】
2014121011.tif 000005
【図４】
2014121011.tif 000006
【図５】
2014121011.tif 000007
【図６】
2014121011.tif 000008
【図７】
2014121011.tif 000009
【図８】
2014121011.tif 000010
【図９】
2014121011.tif 000011